(57)【要約】  本発明は、無線通信システムで端末の速度を通信手順に利用するための方法及び装置に関する。本発明の一実施形態によれば、少なくとも一部分が少なくとも一つのマクロセルと重なる少なくとも一つのマイクロセルを含む無線ネットワークにおいて、端末(User Equipment;ＵＥ）自身の速度情報を用いて前記ネットワークと通信を行うための方法を提供する。上記方法は、端末が自身の移動速度を測定するステップと、前記測定速度に基づいて測定結果を生成するステップと、前記測定結果に基づいて前記ネットワークへのフィードバック、測定報告、ランダムアクセス及び端末能力報告のうち少なくともいずれか一つの動作を行うステップと、を含むことを特徴とする。
2013542698.tif 000002
【特許請求の範囲】
【請求項１】
少なくとも一つのマクロセルと重なる少なくとも一つのマイクロセルを含む無線ネットワークにおいて、端末(User Equipment;ＵＥ）が自身の速度情報を用いて前記ネットワークと通信を行うための方法であって、
端末が自身の移動速度を測定するステップと、
前記測定した速度に基づいて測定結果を生成するステップと、
前記測定結果に基づいて前記ネットワークへのフィードバック、測定報告、ランダムアクセス及び端末能力報告のうち少なくともいずれか一つの動作を行うステップと、
を含むことを特徴とする通信を行うための方法。
【請求項２】
前記測定結果は、
前記端末の前記測定した速度及び加速度のうち少なくとも一つを含むことを特徴とする請求項１に記載の通信を行うための方法。
【請求項３】
前記フィードバック動作を行うステップの後に、
前記測定結果が反映されたフィードバック情報に基づいて前記ネットワークが決定したターゲット基地局に対する情報を前記ネットワークから受信するステップをさらに含むことを特徴とする請求項１に記載の通信を行うための方法。
【請求項４】
前記測定報告を行うステップは、
前記測定結果と閾値に基づいてハンドオーバを行うターゲット基地局を決定し、前記決定されたターゲット基地局に対する情報を前記ネットワークに伝送するステップを含むことを特徴とする請求項１に記載の通信を行うための方法。
【請求項５】
前記測定結果が設定された閾値未満である場合、前記マイクロセルを担うマイクロ基地局が前記ターゲット基地局として選択され、
前記測定結果が設定された閾値以上である場合、前記マクロセルを担うマクロ基地局が前記ターゲット基地局として選択されることを特徴とする請求項３又は４に記載の通信を行うための方法。
【請求項６】
前記ランダムアクセス動作を行うステップは、
前記測定結果を考慮してサービング基地局を決定し、前記決定されたサービング基地局とランダムアクセス動作を行うステップを含むことを特徴とする請求項１に記載の通信を行うための方法。
【請求項７】
前記サービング基地局を決定するステップは、
前記測定結果が設定された閾値未満である場合、前記マイクロセルを担うマイクロ基地局を前記ターゲット基地局として選択するステップと、
前記測定結果が設定された閾値以上である場合、前記マクロセルを担うマクロ基地局を前記ターゲット基地局として選択するステップと、を含むことを特徴とする請求項６に記載の通信を行うための方法。
【請求項８】
前記端末能力報告を行うステップの後に、
前記測定結果を考慮して基地局と初期交渉手続を行うステップをさらに含むことを特徴とする請求項１に記載の通信を行うための方法。
【請求項９】
少なくとも一部分が少なくとも一つのマクロセルと重なる少なくとも一つのマイクロセルを含む無線ネットワークにおいて、端末(User Equipment;ＵＥ）自身の速度情報を用いて前記ネットワークと通信を行うための端末であって、
前記端末自身の移動速度を測定する速度測定部と、
前記測定した速度に基づいて測定結果を生成し、前記特定結果に基づいて前記ネットワークへのフィードバック、測定報告、ランダムアクセス及び端末能力報告のうち少なくともいずれか一つの動作を行う制御部と、を含むことを特徴とする端末。
【請求項１０】
前記測定結果は、
前記端末の前記測定した速度及び加速度のうち少なくとも一つを含むことを特徴とする請求項９に記載の端末。
【請求項１１】
前記制御部は、
前記測定結果が反映されたフィードバック情報に基づいて前記ネットワークが決定したターゲット基地局に対する情報を前記ネットワークから受信することを特徴とする請求項９に記載の端末。
【請求項１２】
前記制御部は、
前記測定報告動作の実行時に、前記測定結果と閾値に基づいてハンドオーバを行うターゲット基地局を決定し、前記決定されたターゲット基地局に対する情報を前記ネットワークに伝送することを特徴とする請求項９に記載の端末。
【請求項１３】
前記制御部は、
前記測定結果が設定された閾値未満である場合、前記マイクロセルを担うマイクロ基地局を前記ターゲット基地局として選択し、
前記測定結果が設定された閾値以上である場合、前記マクロセルを担うマクロ基地局を前記ターゲット基地局として選択することを特徴とする請求項１１又は請求項１２に記載の端末。
【請求項１４】
前記制御部は、
前記ランダムアクセス動作の実行時に、前記測定結果を考慮してサービング基地局を決定した後、前記決定されたサービング基地局と前記ランダムアクセス動作を行うことを特徴とする請求項９に記載の端末。
【請求項１５】
前記制御部は、
前記測定結果が設定された閾値未満である場合、前記マイクロセルを担うマイクロ基地局を前記ターゲット基地局として選択し、
前記測定結果が設定された閾値以上である場合、前記マクロセルを担うマクロ基地局を前記ターゲット基地局として選択することを特徴とする請求項１４に記載の端末。
【請求項１６】
前記制御部は、
前記端末能力報告を行った後に、前記測定結果を考慮して基地局と初期交渉手続を行うことを特徴とする請求項９に記載の端末。
【発明の詳細な説明】
【技術分野】
【０００１】
本発明は、無線通信システムにおける通信手順に関する方法及び装置に関し、特に、無線通信システムにおいて端末で測定された速度を、セルを選択する等の通信手順に利用するための方法及び装置に関する。
【背景技術】
【０００２】
最近、無線通信システムは、高い移動性を有する端末に高いデータ伝送率をサポートするためにセル(cell)をより小型化する方向に進化している。これによってマイクロセルとマクロ(macro)セルが共存するようになり、端末がどんなセルと接続するかは、全体的なシステムの性能に大きい影響を及ぼすようになる。
【０００３】
図１は、マイクロセルとマクロセルが共存する移動通信システムを示す図である。以下の説明で、セルまたは基地局（又はノードＢ）は、同じ意味で使用される。
【０００４】
図１を参照すれば、マクロセル１００内部に複数のマイクロセル１１０、１２０、１３０、１４０、１５０、１６０が存在する。ただし、無線通信システムで、マイクロセル１１０、１２０、１３０、１４０、１５０、１６０は、必ずマクロセル１００内部に位置することではなく、マクロセル１００の外部にも存在することができる。
【０００５】
一方、端末の移動速度は、サービスカバレッジ領域内で高速でも、低速でもある。符号１７０は、端末が低速で移動する場合を示し、符号１８０は端末が高速で移動する場合を示す。
【０００６】
低速で移動する端末１７０は、符号１３０のマイクロセル領域内に相当の時間にわたって位置する可能性が高いために、端末１７０に対したサービング(serving)セルは、マクロセル１００よりは該当マイクロセル１３０で決定されることが望ましい。一方、高速で移動する端末１８０の場合、上記端末が現在位置するマイクロセル１２０領域内に位置する時間は短いだろう。したがって、該当マイクロセル１２０が端末１８０に対したサービングセルとして決定される場合、該当端末１８０が他のマイクロセル領域に高速で移動するために、ハンドオーバ手続が非常に頻繁に進行されなければならない負担がある。したがって、高速で移動する端末１８０の場合、マイクロセル１２０よりはマクロセル１００がサービングセルとして決定されることがより効率的である。すなわち、端末の移動速度に基づいて該当端末にサービスを提供するセルを決定することによって、システムの効率性を高めることができる。
【０００７】
既存の移動通信システムでは、端末または基地局がチャンネルを推定し、推定されたチャンネルによって端末の速度を推定して端末がハンドオーバするターゲットセルまたはサービングセルを決定する方式を使用した。しかしながら、このようにチャンネル推定によって端末の速度を推定する方式はその正確性が落ちる。
【発明の概要】
【発明が解決しようとする課題】
【０００８】
したがって、本発明は上記した従来技術の問題点に鑑みてなされたものであって、本発明は、端末が測定した速度を用いて通信手順を遂行する方法及び装置を提供する。
【０００９】
本発明は、端末が測定した速度を用いて基地局主導のハンドオーバ手続を遂行する方法及び装置を提供する。
【００１０】
本発明は、端末が測定した速度を用いて端末主導のハンドオーバ手続を遂行する方法及び装置を提供する。
【００１１】
本発明は、端末が測定した速度を用いてランダムアクセス手続を遂行する方法及び装置を提供する。
【００１２】
本発明は、端末が測定した速度を用いて基地局との初期交渉手続を遂行する方法及び装置を提供する。
【課題を解決するための手段】
【００１３】
上記のような目的を達成するために、本発明の実施形態の一態様によれば、少なくとも一つのマクロセルと重なる少なくとも一つのマイクロセルを含む無線ネットワークにおいて、端末(User Equipment;ＵＥ）が自身の速度情報を用いて上記ネットワークと通信を行うための方法を提供する。上記方法は、端末が自身の移動速度を測定するステップと、上記測定速度に基づいて測定結果を生成するステップと、上記測定結果に基づいて上記ネットワークへのフィードバック、測定報告、ランダムアクセス及び端末能力報告のうち少なくともいずれか一つの動作を行うステップと、を含むことを特徴とする。
【００１４】
本発明の実施形態の他の態様によれば、少なくとも一部分が少なくとも一つのマクロセルと重なる少なくとも一つのマイクロセルを含む無線ネットワークにおいて、端末(User Equipment;ＵＥ）自身の速度情報を用いて上記ネットワークと通信を行うための端末を提供する。上記端末は、端末自身の移動速度を測定する速度測定部と、上記測定速度に基づいて測定結果を生成し、上記特定結果に基づいて上記ネットワークへのフィードバック、測定報告、ランダムアクセス及び端末能力報告のうち少なくともいずれか一つの動作を行う制御部と、を含むことを特徴とする。
【発明の効果】
【００１５】
本発明は、端末により測定された速度に基づいて多様な通信手順を行うために、端末の正確な速度に基づいて、ハンドオーバ遂行中にターゲット基地局を選択するか、ランダムアクセス中にサービング基地局を選択するか、基地局との初期交渉を行うことができる。したがって、端末の正確な状態に基づいて通信手順を行うためにシステムの効率性を高めることができる。
【００１６】
本発明による実施形態の上記及び他の態様、特徴、及び利点は、添付の図面と共に述べる以下の詳細な説明から、一層明らかになるはずである。
【図面の簡単な説明】
【００１７】
【図１】従来技術による、マイクロセルとマクロセルが共存する移動通信システムを示す図である。
【図２】本発明の基本概念を示す図である。
【図３】本発明の第１の実施形態によるハンドオーバ手続を示す図である。
【図４】本発明の第２の実施形態によるハンドオーバ手続を示す図である。
【図５】本発明の第３の実施形態によるランダムアクセス手続を示す図である。
【図６】本発明の第４の実施形態による初期交渉手続を示す図である。
【図７】本発明の実施形態による端末装置を示す図である。
【発明を実施するための形態】
【００１８】
以下、本発明の望ましい実施形態を添付の図面を参照して詳細に説明する。下記の説明において、同一の構成要素に対してはできるだけ同一の参照符号及び符号を付して説明する。以下の説明において、具体的な構成及び構成要素のような特定詳細は、ただ本発明の実施形態の全般的な理解を助けるだけのために提供される。したがって、本発明の範囲及び趣旨を逸脱することなく、以下に説明される本発明の様々な変形及び変更が可能であることは、当該技術分野における通常の知識を持つ者には明らかである。なお、公知の機能又は構成に関する具体的な説明は、明瞭性と簡潔性のために省略する。
【００１９】
本発明で、端末は自身の速度を測定し、測定された速度を用いて所定の通信手順を遂行する。上記所定の通信手順は、例えば、基地局主導のハンドオーバ手続（Node B-led handover procedure）、端末主導のハンドオーバ手続（UE-led handover procedure）、ランダムアクセス手続（random access procedure）、基地局との初期交渉手続（initial negotiation procedure with a Node B）などであり得る。
【００２０】
一方、上記二つのハンドオーバ手続のうち、どちらの方式が使われるかは、基地局の通信終了または端末の通信終了などに対応する事前設定によって決定されるか、基地局が決定してその決定された方式を端末に指示する方式で選択されることができる。
【００２１】
図２は、本発明の基本概念を示す図である。
【００２２】
本発明の端末２１０は、自身の速度を測定できる端末であることを仮定する。ここで、速度は加速度を含み得る。すなわち、端末２１０は自身の速度を測定できる手段、例えば、加速センサ(acceleration sensor）などを具備していると、上記加速センサを利用して自身の速度を測定することができる。このように加速センサを用いて端末２１０は自身の速度を測定する(１)。以後、端末２１０は測定された自身の速度を用いて基地局２２０と所定の通信手順を遂行する(２)。
【００２３】
以下で本発明の多様な実施形態を説明する。以下の各実施形態は、別途に実施されるべきであることではなく、各実施形態の全体または一部の構成が相互結合され得る。
【００２４】
本発明の第１の実施形態である基地局主導のハンドオーバ手続の場合、端末は自身の速度を測定し、上記測定された速度情報をサービング基地局にフィードバックすると、上記サービング基地局が上記端末の速度を考慮してターゲット基地局を決定してハンドオーバ手続を遂行する。
【００２５】
本発明の第２の実施形態である端末主導のハンドオーバ手続の場合、端末は自身の速度を測定し、上記測定された速度を考慮してターゲットセルを決定し、決定されたターゲットセルを測定報告を通じて現在のサービング基地局に報告してハンドオーバ手続を遂行する。
【００２６】
本発明の第３の実施形態であるランダムアクセス手続の場合、端末が自身の速度を測定し、上記測定された速度を考慮してサービングセルを決定して該当サービングセルに対するランダムアクセス(Radom Access)手順を遂行する。
【００２７】
本発明の第４の実施形態である基地局との初期交渉手続の場合、端末が自身の速度を測定し、測定された速度情報を端末の能力情報(ＵＥ Capability)に挿入して、サービングセルに上記端末の能力情報を報告し、該当サービングセルとの初期交渉(initial negotiation）を遂行する。
【００２８】
図３は、本発明の第１の実施形態によるハンドオーバ手続を示す図である。
【００２９】
図３は基地局主導のハンドオーバ手続として、端末が自身の速度を測定し、測定された速度をサービング基地局に報告すれば、上記サービング基地局が上記測定された速度を用いてハンドオーバ手続を遂行する。
【００３０】
ステップ３１０で、端末２１０は、加速センサなどを用いて自身の速度を測定する。
【００３１】
ステップ３２０で、端末２１０は、上記測定された速度をサービング基地局２２０に送信して上記測定された速度を報告する。ステップ３１０の速度測定とステップ３２０の速度報告は、周期的又は非周期的に遂行され得る。
【００３２】
周期的速度測定及び報告の場合、上記速度測定及び報告の周期は、端末２１０とサービング基地局２２０間で事前決定することができる。また、サービング基地局２２０が端末２１０に上記速度測定及び報告の周期に対する情報を提供することもできる。
【００３３】
非周期的速度測定及び報告の場合、上記速度測定及び報告の時期を端末２１０が決定することができる。例えば、端末が自身の速度をモニターリングしながら所定基準に従う速度変化を検出すると、サービング基地局２２０に自身の速度を報告することができる。一方、上記速度測定及び報告の時期をサービング基地局２２０が決定することもできる。この場合、サービング基地局２２０が端末２１０に速度報告を要請するメッセージを送信するはずである。上記速度報告を要請するメッセージは、トラヒックチャンネルと共に送信されるか、別途の制御チャンネルを通じて送信されることができる。 
【００３４】
ステップ３３０で、基地局２２０は端末２１０の速度を考慮してターゲットセルを決定する。このステップで、サービング基地局２２０は所定閾値を設定する方式を使用することができる。例えば、端末２１０の速度が所定閾値以下であると、マイクロセルをターゲットセルとして決定し、端末２１０の速度が所定閾値を超過すると、マクロセルをターゲットセルとして決定する。
【００３５】
ステップ３４０で、基地局２２０は端末２１０を上記決定されたターゲットセルにハンドオーバするために端末２１０とハンドオーバ手続を遂行する。ハンドオーバ手続は当業界でよく知られた手順であり、多様な方式で遂行され得る。しかしながら、これは、本発明の主な関心でないので、これに対する詳細な説明は省略する。
【００３６】
図４は、本発明の第２の実施形態によるハンドオーバ手続を示す図である。
【００３７】
図４は端末主導のハンドオーバ手続として、端末が自身の速度を測定し、上記測定された速度を考慮してターゲットセルを決定して、上記決定されたターゲットセルを現在のサービング基地局に報告すれば、上記基地局が上記測定された速度を用いてハンドオーバ手続を遂行する。
【００３８】
ステップ４１０で、端末２１０は加速センサなどを用いて自身の速度を測定する。
【００３９】
ステップ４２０で、端末２１０は上記測定された速度を考慮してターゲットセルを決定する。このステップで、端末２１０は所定閾値を設定する方式を使用することができる。例えば、端末の速度が所定閾値以下であると、マイクロセルをターゲットセルとして決定し、端末の速度が所定閾値を超過すると、マクロセルをターゲットセルとして決定する。
【００４０】
ステップ４３０で、端末２１０は上記決定されたターゲットセルに対する情報を現在のサービング基地局２２０に報告する。上記決定されたターゲットセルに対する情報はトラヒックチャンネルと共に送信されるか、別途の制御チャンネルを通じて送信されることができる。
【００４１】
ステップ４４０で、サービング基地局２２０は端末２１０を該当ターゲットセルにハンドオーバするために、端末２１０とハンドオーバ手続を遂行する。ハンドオーバ手続は、当業界でよく知られた手順であり、多様な方式で遂行され得る。しかしながら、これは、本発明の主な関心でないので、これに対する詳細な説明は省略する。
【００４２】
図５は、本発明の第３の実施形態によるランダムアクセス手続を示す図である。
【００４３】
図５で、端末は自身の速度を測定し、上記測定された速度を考慮してサービングセルを決定して該当サービングセルに対するランダムアクセス(Radom Access)手順を遂行する。
【００４４】
ステップ５１０で、端末２１０は加速センサなどを用いて自身の速度を測定する。
【００４５】
ステップ５２０で、端末２１０は上記測定された速度を考慮してサービングセルを決定する。このステップで、端末２１０は所定閾値を設定する方式を使用することができる。例えば、端末２１０の速度が所定閾値以下であると、マイクロセルをサービングセルとして決定し、端末の速度が所定閾値を超過すると、マクロセルをサービングセルとして決定する。
【００４６】
ステップ５３０で、端末２１０は、上記決定されたサービング基地局２２０とランダムアクセス手続を遂行する。ランダムアクセス手続は当業界でよく知られた手順であり、多様な方式で遂行され得る。しかしながら、これは、本発明の主な関心でないので、これに対する詳細な説明は省略する。
【００４７】
図６は、本発明の第４の実施形態による初期交渉手続を示す図である。
【００４８】
図６で、端末は自身の速度を測定し、測定された速度を端末の能力情報(ＵＥCapability)に挿入して、サービングセルに上記端末の能力情報を送信して該当サービングセルとの初期交渉(initial negotiation）を遂行する。
【００４９】
ステップ６１０で、端末２１０は加速センサなどを用いて自身の速度を測定する。
【００５０】
ステップ６２０で、端末２１０は測定された速度に対する情報を上記端末の能力情報に挿入する。上記端末の能力情報は、端末２１０のデータ率(rate）のような情報を含む情報としてサービング基地局２２０との初期交渉時に使用される情報である。
【００５１】
ステップ６３０で、端末２１０は上記測定された速度に対する情報を含む端末の能力情報をサービング基地局２２０に送信する。
【００５２】
ステップ６４０で、端末２１０と基地局２２０は、上記測定された速度に対する情報を考慮して初期交渉手続を遂行する。上記初期交渉手続は当業界でよく知られた手順であり、多様な方式で遂行され得る。しかしながら、これは、本発明の主な関心でないので、これに対する詳細な説明は省略する。
【００５３】
図７は、本発明の実施形態による端末装置を示す図である。
【００５４】
図７で、端末装置７００は、速度測定部７１０、制御部７２０、送受信部７３０を含む。
【００５５】
速度測定部７１０は、端末装置７００の速度を測定し、端末７００の測定速度を制御部７２０に伝達する。速度測定部７１０は、加速センサを用いて端末７００の速度を測定する方式を使用するが、速度測定の方式が加速センサによる速度測定方式にだけ限定されるものではない。
【００５６】
制御部７２０は、端末７００の測定された速度に対する情報を送受信部７３０を通じて基地局に送信する。以後、基地局と端末７００の速度に対する情報を用いて通信手順を遂行する。
【００５７】
ただし、制御部７２０の動作は、本発明の実施形態によって変わることができる。
【００５８】
本発明の第１の実施形態である基地局主導ハンドオーバ手続の場合、制御部７２０の動作を説明する。
【００５９】
端末が自身の速度を測定し、測定された速度をサービング基地局に報告すれば、上記サービング基地局が上記測定された速度を用いてハンドオーバ手続を遂行する。
【００６０】
制御部７２０は、上記測定された速度を送受信部７３０を通じてサービング基地局に送信する。この時、速度測定と速度報告は周期的又は非周期的に遂行され得る。
【００６１】
周期的速度測定及び報告の場合、上記速度測定及び報告の周期は、端末装置７００と基地局間で事前決定することができる。また、基地局が端末７００に上記速度測定及び報告の周期に対する情報を提供することもできる。
【００６２】
非周期的速度測定及び報告の場合、上記速度測定及び報告の時期を制御部７２０が決定することができる。例えば、制御部７２０が速度測定部７１０により測定された端末７００の速度をモニターリングしながら所定基準に従う速度変化を検出すると、サービング基地局に自身の速度を報告することができる。一方、上記速度測定及び報告の時期をサービング基地局が決定することもできる。この場合、制御部７２０はサービング基地局から速度報告を要請するメッセージを受信し、それに基づいて速度測定部７１０を制御してその結果を報告する動作を行う。上記速度報告を要請するメッセージは、トラヒックチャンネルと共に受信されるか、別途の制御チャンネルを通じて受信されることができる。以後、制御部７２０はサービング基地局が端末７００の速度を考慮して決定したターゲットセルに対するハンドオーバ手続を上記基地局と遂行する。
【００６３】
本発明の第２の実施形態である端末主導ハンドオーバ手続の場合、制御部７２０の動作を説明する。
【００６４】
端末が自身の速度を測定し、上記測定された速度を考慮してターゲットセルを決定して、上記決定されたターゲットセルを現在のサービング基地局に報告すれば、上記サービング基地局が上記測定された速度に基づいてハンドオーバ手続を遂行する。
【００６５】
制御部７２０は、上記測定された速度を考慮してターゲットセルを決定する。上記端末の速度を考慮してターゲットセルを決定するとき、制御部７２０は所定閾値を設定する方式を使用することができる。例えば、端末７００の速度が所定閾値以下であると、マイクロセルをターゲットセルとして決定し、端末７００の速度が所定閾値を超過すると、マクロセルをターゲットセルとして決定する等の方式が使われることができる。また、制御部７２０は上記決定されたターゲットセルに対する情報を送受信部７３０を通じて現在のサービング基地局に報告する。上記決定されたターゲットセルに対する情報はトラヒックチャンネルと共に送信されるか、別途の制御チャンネルを通じて送信されることができる。以後、制御部７２０は、該当ターゲットセルにハンドオーバするためにサービング基地局とハンドオーバ手続を遂行する。
【００６６】
本発明の第３の実施形態であるランダムアクセス手続の場合、制御部７２０の動作を説明する。
【００６７】
第３の実施形態で、端末は自身の速度を測定し、上記測定された速度を考慮してサービングセルを決定して該当サービングセルに対するランダムアクセス(Radom Access)手順を遂行する。
【００６８】
制御部７２０は、測定された速度を考慮してサービングセルを決定する。端末７００の速度を考慮してサービングセルを決定するとき、制御部７２０は所定閾値を設定する方式を使用することができる。例えば、端末７００の速度が所定閾値以下であると、マイクロセルをサービングセルとして決定し、端末７００の速度が所定閾値を超過すると、マクロセルをサービングセルとして決定する等の方式が使われることができる。以後、制御部７２０は、上記決定されたサービング基地局とランダムアクセス手続を遂行する。
【００６９】
本発明の第４の実施形態である端末と基地局間の初期交渉手続の場合、制御部７２０の動作を説明する。
【００７０】
第４の実施形態で、端末は自身の速度を測定し、測定された速度を端末の能力情報(ＵＥCapability)に挿入し、サービングセルに上記端末の能力情報を送信して該当サービングセルとの初期交渉(initial negotiation）を行う。
【００７１】
制御部７２０は、測定された速度に対する情報を上記端末の能力情報に挿入する。上記端末の能力情報は、端末７００のデータ率(data rate）などのような情報を含む情報として基地局との初期交渉ときに使用される情報である。以後、制御部７２０は、上記測定された速度に対する情報を含む端末の能力情報を送受信部７３０を通じて基地局に送信する。以後、制御部７２０は上記測定された速度に対する情報を考慮して基地局と初期交渉手続を遂行する。
【００７２】
本発明の構成にともなう代表的な効果は次の通りである。
【００７３】
本発明は、端末により測定された速度に基づいて多様な通信手順を遂行するために、端末の正確な速度に基づいて、ハンドオーバ遂行中にターゲット基地局を選択するか、ランダムアクセス中にサービング基地局を選択するか、基地局との初期交渉を遂行することができる。したがって、端末の正確な状態に基づいて通信手順を遂行するためにシステムの効率性を高めることができる。
【００７４】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００７５】
１００  マクロセル
１１０、１２０、１３０、１４０、１５０、１６０  マイクロセル
１７０  低速で移動する端末
１８０  高速で移動する端末
２１０  端末
２２０  サービング基地局
７００  端末、端末装置
７１０  速度測定部
７２０  制御部
７３０  送受信部
【図２】
2013542698.tif 000003
【図３】
2013542698.tif 000004
【図４】
2013542698.tif 000005
【図５】
2013542698.tif 000006
【図６】
2013542698.tif 000007
【図７】
2013542698.tif 000008
【図１】
2013542698.tif 000009
【国際調査報告】
2013542698.tif 000010
2013542698.tif 000011